(57)【特許請求の範囲】
【請求項１】
左右一対のエアゾール缶１を連結して両エアゾール缶上面から起立する各ステム２へ、ノズル付き押下げヘッド21から垂設した通路管部材11の下端左右を嵌合させると共に、両エアゾール缶へ直接ないし間接に下方筒部を嵌合し、かつ上記押下げヘッドと通路管部材11を囲んで起立する筒部材31の上方前部からヒンジ35を介して揺動板34を後方突出させ、該揺動板の押下げにより押下げヘッド、通路管部材を介して上記両ステムが押下げられて両エアゾール缶内液体がノズル22から噴出可能とした連結式エアゾール容器において、
上記押下げヘッド21上面に隆起台23を付形すると共に揺動板34から垂下させた押下げ突部36を隆起台23上面へ載置させ、
該状態からの揺動板34押下げで両ステムが共に液体噴出位置まで下降したとき、上記押下げ突部36下端面が滑動して押下げヘッド上面に接し、このとき衝突音を発するよう形成した
ことを特徴とする、連結式エアゾール容器。
【請求項２】
上記隆起台23の前面を、斜下前方への傾斜面23a として、押下げヘッド21の復元時に押下げ突部36下端面が上記傾斜面を摺動して隆起台23上面へ移動可能に形成した
ことを特徴とする請求項１記載の連結式エアゾール容器。
【発明の詳細な説明】
【技術分野】
【０００１】
本発明は、異種液体を充填した一対のエアゾール缶を左右に連結したエアゾール容器に関する。
【背景技術】
【０００２】
異種液体充填の左右一対のエアゾール缶を連結して両エアゾール缶上面から起立する各ステムへ、ノズル付き押下げヘッドから垂設した通路管部材の下端左右を嵌合させると共に、両エアゾール缶へ直接ないし間接に下方筒部を嵌合し、かつ上記押下げヘッドと通路管部材を囲んで起立する筒部材の上方前部からヒンジを介して揺動板を後方突出させ、該揺動板の押下げにより押下げヘッド、通路管部材を介して上記両ステムが押下げられて両エアゾール缶内液体がノズルから噴出可能とした連結式エアゾール容器が知られている（特許文献１）。
【特許文献１】特開２００４−１８２２５８号公報
【発明の開示】
【発明が解決しようとする課題】
【０００３】
上記のような連結式のエアゾール容器は、揺動板押下げにより両エアゾール缶の各ステムが押下げられ、通路管部材および押下げヘッドのノズルを通って両エアゾール缶内の二種液体が混合されて、噴出するよう設けたものであり、近年毛染め液体等の容器として使用されているが、揺動板の押下げが不充分である等の理由で、一方のエアゾール缶内の液体だけが噴出し、他方のエアゾール缶内液体は噴出しないことがあった。
【０００４】
このような事態は、揺動板押下げにより液体噴出を開始すると一方エアゾール缶内液体だけが噴出していても、両エアゾール缶内液体が共に噴出しているものと錯覚を生ずるから、両エアゾール缶内液体が共に噴出する位置まで揺動板を押下げする必要がある。
【０００５】
よって本発明は、揺動板を所定位置まで押下げしたとき音を発するよう設け、音が発生したときは両ステムが押され両エアゾール缶内の二種液体が共にノズルから噴出しているよう設けて上記のように一方液体だけを噴出させることがないよう設けたものである。
【課題を解決するための手段】
【０００６】
第１の手段として、左右一対のエアゾール缶１を連結して両エアゾール缶上面から起立する各ステム２へ、ノズル付き押下げヘッド21から垂設した通路管部材11の下端左右を嵌合させると共に、両エアゾール缶へ直接ないし間接に下方筒部を嵌合し、かつ上記押下げヘッドと通路管部材11を囲んで起立する筒部材31の上方前部からヒンジ35を介して揺動板34を後方突出させ、該揺動板の押下げにより押下げヘッド、通路管部材を介して上記両ステムが押下げられて両エアゾール缶内液体がノズル22から噴出可能とした連結式エアゾール容器において、
上記押下げヘッド21上面に隆起台23を付形すると共に揺動板34から垂下させた押下げ突部36を隆起台23上面へ載置させ、
該状態からの揺動板34押下げで両ステムが共に液体噴出位置まで下降したとき、上記押下げ突部36下端面が滑動して押下げヘッド上面に接し、このとき衝突音を発するよう形成した。
【０００７】
第２の手段として、上記第１の手段を有すると共に上記隆起台23の前面を、斜下前方への傾斜面23a として、押下げヘッド21の復元時に押下げ突部36下端面が上記傾斜面を摺動して隆起台23上面へ移動可能に形成した。
【発明の効果】
【０００８】
請求項１記載のようにすることで、衝突音を発するまで揺動板34を押下げすれば、両エアゾール缶内液体は必ず噴出するから、誤って一方エアゾール缶内液体だけを噴出させるようなことがなく、又上記衝突音が聴こえれば両エアゾール缶内の二種液体は共に噴出していることとなるから、その音を聴くだけで二種液体が正常に噴出していることを知ることができる。
【０００９】
請求項２のようにすることで、押下げ位置からの揺動板34の復帰がスムーズとなる。
【発明を実施するための最良の形態】
【００１０】
まず従来公知の部分について簡単に説明すると、１は左右一対をなすエアゾール缶でその頂面からはステム２を起立している。これ等両エアゾール缶は、連結部材３で連結されており、該連結部材は周壁４の上下方向中間部内面に横壁５を有し、該横壁左右両部に透孔６を穿設して該透孔からステム２を起立させ、又横壁の左右方向中間部からは左右一対の割溝付きの仕切壁７を垂下させてそれ等仕切り壁と横壁下方の周壁部分とが形成する空間内へエアゾール缶１の上部を嵌合させている。
【００１１】
上記両ステム２の上部へは、通路管部材11の左右両端から垂下させた嵌合筒12を水密に嵌合させている。該部材は図１が示すように側方からみて逆Ｔ字形状に上記嵌合筒12を有する左右両端面閉塞の横向き管部13の左右方向中間部から縦管14を起立させて形成し、その縦管上端部へノズル22付きの押下げヘッド21を嵌合させている。
【００１２】
31は、両エアゾール管の外面へ直接ないし間接に下方筒部31a を嵌合させ、かつ通路管部材11および押下げヘッド21を囲成させて起立する筒部材で、上方筒部31b は上向き段部32を介して小径とし、又上部前面には窓孔33を穿設してノズル22を外方突出させている。該筒部材の上端前部からは押下げヘッド21を押下げするための揺動板34がヒンジ35を介して後方突出させてある。    
【００１３】
本発明にあっては、図２が示すように押下げヘッド21の前後方向中間部上面に隆起台23を付形し、又揺動板34下面からは図１が示すように左右一対の押下げ突部36を垂下させて、図２Ａが示すように隆起台23上面へ載置させ、図２Ｂが示すように揺動板34後部の押下げにより押下げ突部36下端は、隆起台23を介して押下げヘッド21を押下げ、該押下げッヘッド下降により通路管部材11がステム２を押下げ、該ステム下降により両エアゾール缶内液体が通路管部材11内を通り、ノズル22から混合して噴出を開始した後、図２Ｃが示すように押下げ突部36下端が隆起台23から外れて押下げヘッドの上面に接し、このとき衝突音を発するよう設けた。隆起台23前面は前下方向への傾斜面23a とする。該図２Ｃの状態から揺動板34を離すと、公知のようにステム２は上方付勢されているため、通路管部材11を介して押下げヘッド21を押上げることで押下げ突部36下端は押上げられて隆起台23上面へ復帰するものである。
【００１４】
上記揺動板34後部の下降のため、図示のように押下げヘッドの上方後部は斜下後方への傾斜面21a とするとよく、又筒部材31の上方後部には上面開放の凹部37を形成することが望ましい。
【図面の簡単な説明】
【００１５】
【図１】本発明の連結式エアゾール容器要部の半断面図である。
【図２】図１容器要部の拡大図で、同図Ａは押下げヘッドが上限に位置する状態、同図Ｂは揺動板押下げで押下げヘッドが僅かに下降した状態、同図Ｃは揺動板から垂下する押下げ板下端が押下げヘッド上面へ接してエアゾール缶内液体がノズルから噴出可能とした状態を、それぞれ示す断面図である。
【符号の説明】
【００１６】
１  エアゾール缶                ２  ステム
３  連結部材                    11  通路管部材
13  横向き管部                  14  縦管
21  押下げヘッド                22  ノズル
23  隆起台                      31  筒部材
31ａ下方筒部                    31ｂ上方筒部
33  窓孔                        34  揺動板
36  押下げ突部
【図１】
0004609889.tif 000002
【図２】
0004609889.tif 000003